(57)【特許請求の範囲】
【請求項１】
複数種類の画像テーマに分類された画像を記憶する画像記憶手段と、
複数の端末装置の位置情報を取得する位置情報取得手段と、
この位置情報取得手段により取得された各端末装置の位置情報に基づき、お互いに近接する端末装置をグループ化する端末装置グループ化手段と、
この端末装置グループ化手段によりグループ化された端末装置のグループ毎に、画像テーマの種類を設定する画像テーマ設定手段と、
前記端末装置グループ化手段によりグループ化された端末装置のグループ毎に、当該グループ内の各端末装置に対応付けて、前記画像テーマ設定手段により設定された該当するグループの同じ画像テーマに分類されて前記画像記憶手段に記憶された画像の中から再生対象の画像を指定する再生画像指定手段と、
この再生画像指定手段により指定された各端末装置の各々に対応する再生対象の画像を前記画像記憶手段に記憶された画像の中から読み出し、各対応する端末装置へ出力して表示させる画像出力手段と、
を備えたことを特徴とする画像表示装置。
【請求項２】
前記再生画像指定手段は、指定される再生対象の画像が、前記画像記憶手段に記憶された該当する画像テーマの画像の中で終了したかを判断するテーマ内画像終了判断手段を備え、
前記画像テーマ設定手段は、設定された画像テーマの種類を、前記テーマ内画像終了判断手段による画像終了の判断に応じて別の種類の画像テーマに更新して設定するテーマ更新設定手段を有する、
ことを特徴とする請求項１に記載の画像表示装置。
【請求項３】
前記再生画像指定手段は、同じグループ内の各端末装置で異なる再生対象の画像を指定することを特徴とする請求項１に記載の画像表示装置。
【請求項４】
前記端末装置グループ化手段によりグループ化された端末装置のグループを示すグループ情報と、前記画像テーマ設定手段により設定された該当するグループの画像テーマと、当該グループ情報が示すグループ内の各端末装置を示す端末識別情報と、当該端末識別情報が示す各端末装置の各々に対応して前記再生画像指定手段により指定された再生対象の画像を指定する再生画像指定情報とを対応付けて記憶する対応情報記憶手段を備え、
前記画像出力手段は、前記対応情報記憶手段に記憶された再生画像指定情報に従い、該当するグループ内の各端末装置の各々に対応する再生対象の画像を前記画像記憶手段に記憶された該当する画像テーマの画像の中から読み出し、各対応する端末装置へ出力して表示させる、
ことを特徴とする請求項１に記載の画像表示装置。
【請求項５】
前記画像出力手段は、再生対象の画像を同じグループの各端末装置へ順次所定時間毎にずらして出力して表示させることを特徴とする請求項１に記載の画像表示装置。
【請求項６】
前記位置情報取得手段は、所定時間毎に複数の端末装置の位置情報を取得し、
前記端末装置グループ化手段は、前記位置情報取得手段により所定時間毎に取得された各端末装置の位置情報に基づき、端末装置をグループ化する、
ことを特徴とする請求項１に記載の画像表示装置。
【請求項７】
複数の端末装置との通信機能を有する電子機器のコンピュータを制御するためのプログラムであって、
前記コンピュータを、
複数種類の画像テーマに分類された画像をメモリに記憶させる画像記憶手段、
前記複数の端末装置の位置情報を取得する位置情報取得手段、
この位置情報取得手段により取得された各端末装置の位置情報に基づき、お互いに近接する端末装置をグループ化する端末装置グループ化手段、
この端末装置グループ化手段によりグループ化された端末装置のグループ毎に、画像テーマの種類を設定する画像テーマ設定手段、
前記端末装置グループ化手段によりグループ化された端末装置のグループ毎に、当該グループ内の各端末装置に対応付けて、前記画像テーマ設定手段により設定された該当するグループの同じ画像テーマに分類されて前記画像記憶手段により記憶された画像の中から再生対象の画像を指定する再生画像指定手段、
この再生画像指定手段により指定された各端末装置の各々に対応する再生対象の画像を前記画像記憶手段により記憶された画像の中から読み出し、各対応する端末装置へ出力して表示させる画像出力手段、
として機能させるためのプログラム。
【発明の詳細な説明】
【技術分野】
【０００１】
本発明は、フォトフレームなどの表示機器を利用した画像表示装置およびその制御プログラムに関する。
【背景技術】
【０００２】
近年、フォトフレームが実用化され一般家庭をはじめ様々な場所で利用されている。
【０００３】
フォトフレームは、高画質で容易に複数の画像を切り替えて表示させることができるため、絵画に代わるインテリアとしての利用も高まっている。
【０００４】
そこで、前記フォトフレームに表示させる画像を変化させて楽しむために、例えば写真撮影された原画像の画像データを処理して水彩画調の画像や水墨画調の画像などに変換する技術の利用が考えられる（例えば、特許文献１、特許文献２参照。）。
【０００５】
一方、ロビーや室内等に複数台のフォトフレームを近接して配置する場合に、各フォトフレームが表示する各画像は何の関連性もなく、独自の画像を表示することになるが、表示される各画像が違いすぎると違和感を生じてしまう。
【０００６】
そこで、複数台のフォトフレームを近接して配置する場合に、当該複数台のフォトフレームの全体で１枚の画像が表現されるように、各フォトフレームにその数に応じて分割した画像をそれぞれ与え、当該画像のスクロール等において連携して表示させる技術の利用が考えられる（例えば、特許文献３参照。）。
【先行技術文献】
【特許文献】
【０００７】
【特許文献１】特開平０８−０４４８６７号公報
【特許文献２】特開平１１−１２０３３４号公報
【特許文献３】特開２００９−１００４７０号公報
【発明の概要】
【発明が解決しようとする課題】
【０００８】
従来、ロビーや室内等に複数台のフォトフレームを近接して配置する場合に、当該複数台のフォトフレームの全体で１枚の画像が表現されるように、連携して表示させることが考えられているが、この場合には、１台のフォトフレームで任意の複数の画像を表示できるという、フォトフレーム本来の特徴を生かし切ることができない。
【０００９】
また、例えばギャラリーのように、複数台のフォトフレームをある空間の中で近接して配置した場合、鑑賞者はその全体を眺めることがあるが、フォトフレームに表示されている各画像の種類が異なれば各フォトフレーム全体として調和がとれなくなる。調和をとるためには、複数台のフォトフレームが近接して配置されているか否かに応じて各フォトフレームに表示される各画像の選択をその都度手動で設定しなければならない。
【００１０】
本発明は、このような課題に鑑みなされたもので、複数台の表示端末を近接して配置した場合に、各表示端末にて表示される各画像を、全体として調和のとれた表示にすることが可能になる画像表示装置およびその制御プログラムを提供することを目的とする。
【課題を解決するための手段】
【００１１】
請求項１に記載の画像表示装置は、複数種類の画像テーマに分類された画像を記憶する画像記憶手段と、複数の端末装置の位置情報を取得する位置情報取得手段と、この位置情報取得手段により取得された各端末装置の位置情報に基づき、お互いに近接する端末装置をグループ化する端末装置グループ化手段と、この端末装置グループ化手段によりグループ化された端末装置のグループ毎に、画像テーマの種類を設定する画像テーマ設定手段と、前記端末装置グループ化手段によりグループ化された端末装置のグループ毎に、当該グループ内の各端末装置に対応付けて、前記画像テーマ設定手段により設定された該当するグループの同じ画像テーマに分類されて前記画像記憶手段に記憶された画像の中から再生対象の画像を指定する再生画像指定手段と、この再生画像指定手段により指定された各端末装置の各々に対応する再生対象の画像を前記画像記憶手段に記憶された画像の中から読み出し、各対応する端末装置へ出力して表示させる画像出力手段と、を備えたことを特徴としている。
【００１２】
請求項２に記載の画像表示装置は、前記請求項１に記載の画像表示装置において、前記再生画像指定手段は、指定される再生対象の画像が、前記画像記憶手段に記憶された該当する画像テーマの画像の中で終了したかを判断するテーマ内画像終了判断手段を備え、前記画像テーマ設定手段は、設定された画像テーマの種類を、前記テーマ内画像終了判断手段による画像終了の判断に応じて別の種類の画像テーマに更新して設定するテーマ更新設定手段を有する、ことを特徴としている。
【００１３】
請求項３に記載の画像表示装置は、前記請求項１に記載の画像表示装置において、前記再生画像指定手段は、同じグループ内の各端末装置で異なる再生対象の画像を指定することを特徴としている。
【００１４】
請求項４に記載の画像表示装置は、前記請求項１に記載の画像表示装置において、前記端末装置グループ化手段によりグループ化された端末装置のグループを示すグループ情報と、前記画像テーマ設定手段により設定された該当するグループの画像テーマと、当該グループ情報が示すグループ内の各端末装置を示す端末識別情報と、当該端末識別情報が示す各端末装置の各々に対応して前記再生画像指定手段により指定された再生対象の画像を指定する再生画像指定情報とを対応付けて記憶する対応情報記憶手段を備え、前記画像出力手段は、前記対応情報記憶手段に記憶された再生画像指定情報に従い、該当するグループ内の各端末装置の各々に対応する再生対象の画像を前記画像記憶手段に記憶された該当する画像テーマの画像の中から読み出し、各対応する端末装置へ出力して表示させる、ことを特徴としている。
【００１５】
請求項５に記載の画像表示装置は、前記請求項１に記載の画像表示装置において、前記画像出力手段は、再生対象の画像を同じグループの各端末装置へ順次所定時間毎にずらして出力して表示させることを特徴としている。
【００１６】
請求項６に記載の画像表示装置は、前記請求項１に記載の画像表示装置において、前記位置情報取得手段は、所定時間毎に複数の端末装置の位置情報を取得し、前記端末装置グループ化手段は、前記位置情報取得手段により所定時間毎に取得された各端末装置の位置情報に基づき、端末装置をグループ化する、ことを特徴としている。
【００１７】
請求項７に記載のプログラムは、複数の端末装置との通信機能を有する電子機器のコンピュータを制御するためのプログラムであって、前記コンピュータを、複数種類の画像テーマに分類された画像をメモリに記憶させる画像記憶手段、前記複数の端末装置の位置情報を取得する位置情報取得手段、この位置情報取得手段により取得された各端末装置の位置情報に基づき、お互いに近接する端末装置をグループ化する端末装置グループ化手段、この端末装置グループ化手段によりグループ化された端末装置のグループ毎に、画像テーマの種類を設定する画像テーマ設定手段、前記端末装置グループ化手段によりグループ化された端末装置のグループ毎に、当該グループ内の各端末装置に対応付けて、前記画像テーマ設定手段により設定された該当するグループの同じ画像テーマに分類されて前記画像記憶手段により記憶された画像の中から再生対象の画像を指定する再生画像指定手段、この再生画像指定手段により指定された各端末装置の各々に対応する再生対象の画像を前記画像記憶手段により記憶された画像の中から読み出し、各対応する端末装置へ出力して表示させる画像出力手段、として機能させることを特徴としている。
【発明の効果】
【００１８】
本発明によれば、複数台の表示端末を近接して配置した場合に、各表示端末にて表示される各画像を、全体として調和のとれた表示にすることが可能になる画像表示装置およびその制御プログラムを提供できる。
【図面の簡単な説明】
【００１９】
【図１】本発明の画像表示装置の実施形態に係る画像表示サーバ１０を備えた画像表示システムの全体構成を示すブロック図。
【図２】前記画像表示システムにおける画像表示サーバ［Ｓ］１０の電子回路の構成を示すブロック図。
【図３】前記画像表示サーバ［Ｓ］１０の画像記憶部１３に記憶される画像データの内容を示す図。
【図４】前記画像表示サーバ［Ｓ］１０の各種テーブル記憶部１４に記憶されるグループテーブル１４ａを示す図。
【図５】前記画像表示サーバ［Ｓ］１０の各種テーブル記憶部１４に記憶される変換テーブル１４ｂを示す図。
【図６】前記画像表示サーバ［Ｓ］１０の各種テーブル記憶部１４に記憶される端末画像テーブル１４ｃを示す図。
【図７】前記画像表示システムにおけるフォトフレーム端末［Ｆ］２０の電子回路の構成を示すブロック図。
【図８Ａ】前記画像表示システムの画像表示サーバ［Ｓ］１０による端末グループ生成処理（その１）を示すフローチャート。
【図８Ｂ】前記画像表示システムの画像表示サーバ［Ｓ］１０による端末グループ生成処理（その２）を示すフローチャート。
【図９】前記画像表示システムの画像表示サーバ［Ｓ］１０による画像出力処理を示すフローチャート。
【図１０】前記画像表示システムの各フォトフレーム端末［Ｆ１］２０ａ，［Ｆ２］Ｆ２，…による端末処理を示すフローチャート。
【発明を実施するための形態】
【００２０】
以下図面により本発明の実施の形態について説明する。
【００２１】
図１は、本発明の画像表示装置の実施形態に係る画像表示サーバ１０を備えた画像表示システムの全体構成を示すブロック図である。
【００２２】
この画像表示システムは、画像表示サーバ［Ｓ］１０と、この画像表示サーバ［Ｓ］１０と相互に通信する機能を有する複数台のフォトフレーム端末［Ｆ１］２０ａ，［Ｆ２］２０ｂ，…とを備えて構成される。
【００２３】
複数台のフォトフレーム端末［Ｆ１］２０ａ，［Ｆ２］２０ｂ，…は、会社やホテルのロビーなど、人が出入りする空間の適宜な位置に配置される。
【００２４】
各フォトフレーム端末［Ｆ１］２０ａ，［Ｆ２］２０ｂ，…は、画像を表示する機能に加え、ＧＰＳ(Global Positioning System)などの自己の位置を計測する機能を備え、同図中の（ｐ０１３）（ｐ０１５）（ｐ０１６）（ｐ０２１）（ｐ０２２）（ｐ０２８）は当該各端末［Ｆ１］２０ａ〜［Ｆ６］２０ｆにて検出された位置情報を示している。
【００２５】
画像表示サーバ［Ｓ］１０は、各フォトフレーム端末［Ｆ１］２０ａ〜［Ｆ６］２０ｆから受信される位置情報（ｐ０１３）…（ｐ０２８）に基づき、予め設定された相互に近接する範囲内に配置された各端末同士をグループ化して管理する。
【００２６】
ここでは、端末［Ｆ１］２０ａ〜［Ｆ３］２０ｃをグループ情報“ｇ００１”、端末［Ｆ４］２０ｄ，［Ｆ５］２０ｅをグループ情報“ｇ００２”、端末［Ｆ６］２０ｆをグループ情報“ｇ００３”として管理する。
【００２７】
なお、同図中のフォトフレーム端末［Ｆ３］２０ｃは、前記画像表示サーバ［Ｓ］１０のグループ情報“ｇ００１”にて管理される範囲内に、途中その範囲外から移動されて配置されたイメージを示している。
【００２８】
図２は、前記画像表示システムにおける画像表示サーバ［Ｓ］１０の電子回路の構成を示すブロック図である。
【００２９】
この画像表示サーバ［Ｓ］１０は、例えばＰＣ(Personal Computer)を用いて構成され、コンピュータであるＣＰＵ(Central Processing Unit)１１を備えている。
【００３０】
このＣＰＵ１１には、記憶部１２、画像記憶部１３、各種テーブル記憶部１４、時計回路１５、入力部１６、通信部１７、表示部１８が接続される。
【００３１】
前記ＣＰＵ１１は、前記記憶部１２に記憶されたサーバ制御プログラム、あるいはＣＤ−ＲＯＭなどの記録媒体から記憶部１２に読み込まれたサーバ制御プログラム、あるいは通信ネットワーク上のプログラムサーバからダウンロードされて記憶部１２に読み込まれたサーバ制御プログラムに従い回路各部の動作を制御する。
【００３２】
図３は、前記画像表示サーバ［Ｓ］１０の画像記憶部１３に記憶される画像データの内容を示す図である。
【００３３】
この画像記憶部１３には、例えばデジタルカメラにより撮影された多種多様な画像データが、風景画像，人物画像，被写体別画像、撮影年月日別画像などの任意の画像テーマＴ１１，Ｔ２１，Ｔ３１，…，Ｔｎｍに分類され、その画像テーマＴ１１，Ｔ２１，Ｔ３１，…，Ｔｎｍ毎に多数の画像データＱ１１−Ｑ１ｉ，Ｑ２１−Ｑ２ｊ，Ｑ３１−Ｑ３ｋ，…が記憶される。
【００３４】
図４は、前記画像表示サーバ［Ｓ］１０の各種テーブル記憶部１４に記憶されるグループテーブル１４ａを示す図である。
【００３５】
このグループテーブル１４ａには、本画像表示サーバ［Ｓ］１０の管理対象である各フォトフレーム端末［Ｆ１］２０ａ，［Ｆ２］２０ｂ，…の端末識別情報“００５３”“０１５３”…に対応付けて、通信部１７を介して受信される各端末［Ｆ１］２０ａ，［Ｆ２］２０ｂ，…の位置情報“ｐ０１３”“ｐ０１５”…、グループ情報“ｇ００１”…、該グループ情報“ｇ００１”…を生成するための仮グループ情報“ｋ００１”…が記憶される。
【００３６】
なお、同図に示すグループテーブル１４ａにおいて、フォトフレーム端末［Ｆ３］２０ｃの端末識別情報“００２１”に対応するところのグループ情報がブランク“−”なのはグループ情報が設定される前の状態を示している。
【００３７】
図５は、前記画像表示サーバ［Ｓ］１０の各種テーブル記憶部１４に記憶される変換テーブル１４ｂを示す図である。
【００３８】
この変換テーブル１４ｂには、本画像表示サーバ［Ｓ］１０の管理対象であるグループ情報“ｇ００１”“ｇ００２”…毎に、該当グループ（例えば“ｇ００１”）内の各フォトフレーム端末（［Ｆ１］２０ａ〜［Ｆ３］２０ｃ）に表示させる画像の画像テーマとその切り替え順（Ｔ３１→Ｔ２１→…）、現在の画像テーマ（Ｔ２１）、現在の画像変換種（水彩画）、予め設定された１回の再生時間（初期値）、残り再生時間が記憶される。
【００３９】
図６は、前記画像表示サーバ［Ｓ］１０の各種テーブル記憶部１４に記憶される端末画像テーブル１４ｃを示す図である。
【００４０】
この端末画像テーブル１４ｃには、本画像表示サーバ［Ｓ］１０の管理対象である各グループ情報“ｇ００１”…毎の端末識別情報“００５３”“０１５３”…に対応付けて、当該端末［Ｆ１］２０ａ，［Ｆ２］２０ｂ，…にて再生すべき前記現在の画像テーマＴ２１，…における現在の再生画像の指定情報“Ｑ２８０”“Ｑ２３５”…とその再生開始画像の指定情報“Ｑ２１２”“Ｑ２３０”…とが記憶される。
【００４１】
つまり、前記図５，図６における変換テーブル１４ｂおよび端末画像テーブル１４ｃにおいて、グループ情報“ｇ００１”に属する端末識別情報“００５３”“０１５３”“００２１”の各端末［Ｆ１］２０ａ，［Ｆ２］２０ｂ，［Ｆ３］２０ｃには、何れも同一の画像テーマＴ２１内の画像を同一の画像変換種［水彩画］で変換して再生対象に設定することを示している。そして、端末［Ｆ１］２０ａの現在の再生画像［Ｔ２１−Ｑ２８０］は再生開始画像［Ｔ２１−Ｑ２１２］から更新されて設定されたことを示し、端末［Ｆ２］２０ｂの現在の再生画像［Ｔ２１−Ｑ２３５］は再生開始画像［Ｔ２１−Ｑ２３０］から更新されて設定されたことを示し、端末［Ｆ３］２０ｃの現在の再生画像［Ｔ２１−Ｑ２２１は再生開始画像［Ｔ２１−Ｑ２９０］から更新されて設定されたことを示す。
【００４２】
なお、この画像表示サーバ［Ｓ］１０において、ＣＰＵ１１が、記憶部１２に記憶されるサーバ制御プログラムに従い回路各部の動作を制御し、ハードウエアとソフトウエアが協働することにより実行される機能としては、少なくとも次の７つの機能(Ser1)〜(Ser7)が含まれる。
【００４３】
(Ser1) 各フォトフレーム端末［Ｆ１］２０ａ，［Ｆ２］２０ｂ，…から取得される位置情報“ｐ０１３”“ｐ０１５”…同士の比較により、所定範囲に含まれる端末［Ｆ１］２０ａ，［Ｆ２］２０ｂ，…をグループ化してグループ情報“ｇ００１”“ｇ００２”…を付加し、グループテーブル１４ａを生成する機能。
【００４４】
(Ser2) 変換テーブル１４ｂのグループ情報“ｇ００１”“ｇ００２”…毎に設定された再生時間の残り再生時間に従い、例えば残り再生時間が“０”になる毎に、該当のグループ情報“ｇ…”に対応付けられた各端末［Ｆｎ］…毎の再生画像［Ｔｍｘ−Ｑｍｎ］を同一の画像テーマＴｍｘ内で更新し、端末画像テーブル１４ｃを生成する機能。
【００４５】
(Ser3) 前記(Ser2)の機能の実行に伴い、何れかの端末［Ｆｎ］の更新された再生画像［Ｔｍｘ−Ｑｍｎ］がその画像テーマＴｍｘ内で一巡したと判断された場合に、該当のグループ情報“ｇ…”に対応付けられた変換テーブル１４ｂの現在の画像テーマＴｍｘを更新し、更新された画像テーマＴ(m+1)ｘに基づき、同グループ情報“ｇ…”内の各端末［Ｆｎ］…毎の再生画像［Ｔ(m+1)ｘ−Ｑｍｎ］を前記端末画像テーブル１４ｃに新たに設定する機能。
【００４６】
(Ser4) 前記(Ser3)の機能の実行に伴い、該当のグループ情報“ｇ…”に対応付けられた変換テーブル１４ｂの現在の画像変換種を更新する機能。
【００４７】
(Ser5) 前記(Ser2)または(Ser4)の機能の実行に伴い、変換テーブル１４ｂの該当のグループ情報“ｇ…”に対応付けられた現在の画像変換種で、前記端末画像テーブル１４ｃで示される該当のグループ情報“ｇ…”に対応付けられた各端末［Ｆｎ］…毎の再生画像［Ｔｍｘ−Ｑｍｎ］…を画像変換する機能。
【００４８】
(Ser6) 前記(Ser5)の機能の実行に伴い、画像変換された再生画像［Ｔｍｘ−Ｑｍｎ］…を、該当するグループ情報“ｇ…”に対応付けられた各端末［Ｆｎ］…に送信して表示させる機能。
【００４９】
(Ser7) 前記(Ser6)の機能の実行に伴い、変換テーブル１４ｂ内の該当のグループ情報“ｇ…”に対応付けられた残り再生時間を初期値にリセットする機能。
【００５０】
図７は、前記画像表示システムにおけるフォトフレーム端末［Ｆ］２０の電子回路の構成を示すブロック図である。
【００５１】
ここでは、前記図１で示した各フォトフレーム端末［Ｆ１］２０ａ，［Ｆ２］２０ｂ，…について、これを代表する符号［Ｆ］２０として説明する。
【００５２】
このフォトフレーム端末［Ｆ］２０は、コンピュータであるＣＰＵ(Central Processing Unit)２１を備えている。
【００５３】
このＣＰＵ２１には、記憶部２２、画像記憶部２３、位置計測部２４、時計回路２５、入力部２６、通信部２７、表示部２８が接続される。
【００５４】
前記ＣＰＵ２１は、前記記憶部２２に記憶された端末制御プログラム、あるいはＣＤ−ＲＯＭ、メモリカードなどの記録媒体から記憶部２２に読み込まれた端末制御プログラム、あるいは通信ネットワーク上のプログラムサーバからダウンロードされて記憶部２２に読み込まれた端末制御プログラムに従い回路各部の動作を制御する。
【００５５】
前記画像記憶部２３は、表示部２８のフレームバッファとして機能し、前記画像表示サーバ１０から設定再生時間毎に送信されてくる再生画像［Ｔｍｘ−Ｑｍｎ］の画像データが記憶される。
【００５６】
前記位置計測部２４は、このフォトフレーム端末［Ｆ］２０自身の存在する位置（位置情報“ｐ…”）を高精度に計測する。
【００５７】
なお、このフォトフレーム端末［Ｆ］２０において、ＣＰＵ２１が、記憶部２２に記憶される端末制御プログラムに従い回路各部の動作を制御し、ハードウエアとソフトウエアが協働することにより実行される機能としては、少なくとも次の２つの機能(Fra1)(Fra2)が含まれる。
【００５８】
(Fra1) 前記画像表示サーバ［Ｓ］１０からの要求に応じて前記位置計測部２４により計測される端末［Ｆ］２０自身の位置情報“ｐ…”を送信する機能。
【００５９】
(Fra2) 前記画像表示サーバ［Ｓ］１０から受信された再生画像［Ｔｍｘ−Ｑｍｎ］の画像データを画像記憶部２３に記憶させ、表示部２８に表示させる機能。
【００６０】
次に、前記構成の画像表示システムによる複数台のフォトフレーム端末［Ｆ１］２０ａ，［Ｆ２］２０ｂ，…を用いた統一的画像表示機能について説明する。
【００６１】
図８Ａは、前記画像表示システムの画像表示サーバ［Ｓ］１０による端末グループ生成処理（その１）を示すフローチャートである。
【００６２】
画像表示サーバ［Ｓ］１０では、ユーザによって適宜移動容易な各フォトフレーム端末［Ｆ１］２０ａ，［Ｆ２］２０ｂ，…の配置位置を常時監視してグループ化する必要がある。このため、この端末グループ生成処理は、時計回路１５により計時される所定時間毎（例えば１分毎）に繰り返し実行される。
【００６３】
この端末グループ生成処理（その１）が起動されると、先ず、各種テーブル記憶部１４のグループテーブル１４ａ（図４参照）に記憶されている各端末［Ｆ１］２０ａ，［Ｆ２］２０ｂ，…の端末識別情報“００５３”“０１５３”…に基づき、当該各端末［Ｆ１］２０ａ，［Ｆ２］２０ｂ，…に対して位置情報の取得要求が順次送信される。
【００６４】
そして、前記位置情報の取得要求に応答して、各端末［Ｆ１］２０ａ，［Ｆ２］２０ｂ，…からその位置情報“ｐ０１３”“ｐ０１５”…が受信されると（ステップＳ１（Ｙｅｓ））、当該受信された位置情報“ｐ０１３”“ｐ０１５”…は、前記グループテーブル１４ａの端末識別情報“００５３”“０１５３”…に対応付けられて記憶される（ステップＳ２）。
【００６５】
なお、前記位置情報の取得要求を送信した端末［Ｆｎ］からの応答が無く、その位置情報“ｐ…”が受信されない場合には（ステップＳ１（Ｎｏ））、位置情報無しの情報（例えば“ｐ９９９”）が、前記グループテーブル１４ａの該当する端末識別情報（例えば“０２３１”）に対応付けられて記憶される（ステップＳ４）。
【００６６】
この後、前記グループテーブル１４ａに記憶されている各端末［Ｆ１］２０ａ，［Ｆ２］２０ｂ，…の全ての端末識別情報“００５３”“０１５３”…に対応する位置情報“ｐ…”の取得とその記憶が完了したと判断されると（ステップＳ３（Ｙｅｓ））、当該グループテーブル１４ａ内の各端末識別情報“００５３”“０１５３”…に対応付けられたデータが、各位置情報“ｐ０１３”“ｐ０１５”…に基づいて、例えば画像表示サーバ［Ｓ］１０に最も近い位置情報“ｐ０１３”を先頭にしてソートされる（ステップＳ５）。
【００６７】
ここで、前記グループテーブル１４ａのアドレスを“ｉ”とし、その先頭アドレスｉ（＝００１番地）の仮グループ情報の記憶エリアに初期値“ｋ００１”が記憶される（ステップＳ６）。
【００６８】
すると、前記グループテーブル１４ａにおけるｉ（＝００１番地）の位置情報“ｐ０１３”とｉ＋１（＝００２番地）の位置情報“ｐ０１５”とが比較され（ステップＳ７）、各位置情報が相対的に近接した所定の範囲内にあるか否か判断される（ステップＳ８）。
【００６９】
各位置情報“ｐ０１３”と“ｐ０１５”とが所定の範囲内にあると判断された場合には（ステップＳ８（Ｙｅｓ））、ｉ＋１（＝００２番地）の仮グループ情報としてｉ（＝００１番地）と同じ仮グループ情報“ｋ００１”が記憶される（ステップＳ９）。
【００７０】
そして、アドレスｉがインクリメント（ｉ＋１）されてｉ（＝００２番地）とされ（ステップＳ１０）、ｉに対応するグループテーブル１４ａのアドレスが終了したか否か判断される（ステップＳ１１）。
【００７１】
ここでは、ｉ（＝００２番地）であり、グループテーブル１４ａのアドレスは終了していないと判断されると（ステップＳ１１（Ｎｏ））、同ｉにアドレスされるメモリエリアの端末識別情報に位置情報が無いか有るか判断される（ステップＳ１２）。
【００７２】
ここでは、ｉ（＝００２番地）の端末識別情報“０１５３”に対応付けられた位置情報“ｐ０１５”が有ると判断されるので（ステップＳ１２（Ｎｏ））、前記ステップＳ７からの処理に戻る。
【００７３】
すると、前記グループテーブル１４ａにおけるｉ（＝００２番地）の位置情報“ｐ０１５”とｉ＋１（＝００３番地）の位置情報“ｐ０１６”とが比較され（ステップＳ７）、各位置情報が相対的に近接した所定の範囲内にあるか否か判断される（ステップＳ８）。
【００７４】
この場合も、各位置情報“ｐ０１５”と“ｐ０１６”とは所定の範囲内にあると判断され（ステップＳ８（Ｙｅｓ））、ｉ＋１（＝００３番地）の仮グループ情報としてｉ（＝００２番地）と同じ仮グループ情報“ｋ００１”が記憶される（ステップＳ９）。
【００７５】
この後、前記同様にステップＳ７〜Ｓ１２の処理が繰り返され、インクリメントされたｉ（＝００３番地）の位置情報“ｐ０１６”とｉ＋１（＝００４番地）の位置情報“ｐ０２１”とが比較された際に（ステップＳ７）、各位置情報が相対的に近接した所定の範囲内にないと判断されると（ステップＳ８（Ｎｏ））、現在の仮グループ情報“ｋ００１”が“ｋ００２”に更新される（ステップＳ１３）。
【００７６】
そして、ｉ＋１（＝００４番地）の仮グループ情報として前記更新された仮グループ情報“ｋ００２”が記憶される（ステップＳ１４）。
【００７７】
すなわち、前記ステップＳ７〜Ｓ１４の処理が繰り返し実行されることで、位置情報“ｐ…”に基づきソートされた各端末識別情報“００５３”“０１５３”…に対応付けて、所定の範囲内に有ると判断された端末の範囲には同じ仮グループ情報“ｋ…”が記憶され、所定の範囲内にないと判断された端末の範囲からは更新された仮グループ情報“ｋ…”が記憶される。
【００７８】
これにより、所定の範囲内に配置された各端末［Ｆ］２０…の端末識別情報には、同じ仮グループ情報“ｋ…”が対応付けられてグループ化されることになる。
【００７９】
この後、前記ステップＳ１０にてインクリメントされたグループテーブル１４ａのアドレスｉが、例えば最終アドレスになった際に、ステップＳ１２において、端末識別情報“０２３１”に対応する位置情報として、“ｐ９９９”が記憶されていることで、位置情報無しと判断されると（ステップＳ１２（Ｙｅｓ））、当該ｉ以降のアドレスに対応する仮グループ情報とグループ情報のメモリエリアに、“ｎｕｌｌ”コードが記憶される（ステップＳ１５）。
【００８０】
こうして、前記グループテーブル１４ａのｉ以降のアドレスに対応する仮グループ情報とグループ情報のメモリエリアに、“ｎｕｌｌ”コードが記憶されるか（ステップＳ１５）、または前記ステップＳ１０においてインクリメントされた“ｉ”に対応するグループテーブル１４ａのアドレスが終了したと判断されると（ステップＳ１１（Ｙｅｓ））、前記仮グループ情報の設定が終了し、図８ＢにおけるステップＳ１６以降の処理に進む。なお、図４のグループテーブル１４ａに記載している各情報は以上の処理を行った状態で記憶されている情報である。
【００８１】
図８Ｂは、前記画像表示システムの画像表示サーバ［Ｓ］１０による端末グループ生成処理（その２）を示すフローチャートである。
【００８２】
この端末グループ生成処理（その２）に移行されると、先ず、前記グループテーブル１４ａの先頭から同じ仮グループ情報“ｋ…”の範囲が読み出され（ステップＳ１６）、当該同じ仮グループ情報“ｋ…”の範囲内に既にグループ情報“ｇ…”が対応付けされた仮グループ情報があるか否か判断される（ステップＳ１７）。
【００８３】
ここで、同じ仮グループ情報“ｋ…”の範囲内に既にグループ情報“ｇ…”が対応付けされた仮グループ情報がないと判断された場合、つまり当該同じ仮グループ情報“ｋ…”の範囲に対応する各フォトフレーム端末［Ｆ］２０…は、何れも前記画像表示サーバ［Ｓ］１０の管理対象として新たに配置されたものであると判断されると（ステップＳ１７（Ｎｏ））、グループテーブル１４ａには現在存在しない新規のグループ情報“ｇ…”が生成され、当該同じ仮グループ情報“ｋ…”の範囲に対応付けられて記憶される（ステップＳ１８）。
【００８４】
すると、前記新規のグループ情報“ｇ…”に対して、画像記憶部１３にある各画像テーマＴ１１，Ｔ２１，…，Ｔｎｍの中からランダムに選択された画像テーマの切り替え順が設定されると共に、当該切り替え順の中からランダムに選択された現在の画像テーマ、複数の画像変換種の中からランダムに選択された現在の画像変換種、予め設定された再生時間、残り再生時間“０．００”を対応付けた変換テーブル１４ｂが生成される（ステップＳ１９）。
【００８５】
一方、前記グループテーブル１４ａ（図４参照）における同じ仮グループ情報“ｋ００１”の範囲が読み出され（ステップＳ１６）、当該同じ仮グループ情報“ｋ００１”の範囲内に既にグループ情報“ｇ００１”が対応付けされた仮グループ情報があると判断された場合には（ステップＳ１７（Ｙｅｓ））、当該同じ仮グループ情報“ｋ００１”の範囲内で最も多いグループ情報“ｇ００１”に、他のグループ情報が書き替えられる（ステップＳ２０）。
【００８６】
具体的には、前記同じ仮グループ情報“ｋ００１”の範囲内で、新たに配置されたフォトフレーム端末［Ｆ３］２０ｃの端末識別情報“００２１”に対応付けられたグループ情報のブランク“−”が、グループ情報“ｇ００１”に書き替えられる。
【００８７】
こうして、前記グループテーブル１４ａにおける同じ仮グループ情報“ｋ００１”の範囲に対応するグループ情報“ｇ００１”が設定され、当該グループ情報“ｇ００１”に対応する変換テーブル１４ｂも生成されると、該当グループ“ｇ００１”内の各端末［Ｆ１］２０ａ，［Ｆ２］２０ｂ，［Ｆ３］２０ｃに対応する端末画像テーブル１４ｃ（図６参照）が生成される（ステップＳ２１）。
【００８８】
具体的には、前記端末画像テーブル１４ｃにおける該当するグループ情報“ｇ００１”の各端末識別情報“００５３”“０１５３”“００２１”に対応する現在の再生画像（指定情報）と再生開始画像（指定情報）について、新規の端末配置に伴い未設定のところがある場合は、前記変換テーブル１４ｂに設定された該当のグループ情報“ｇ００１”に対応する現在の画像テーマＴ２１の各画像Ｑ２１−Ｑ２ｊの中から、予め初期設定されるか若しくはランダム設定された画像（指定情報）“Ｑ２ｎ”が、現在の再生画像（指定情報）と再生開始画像（指定情報）として書き込まれる。
【００８９】
ここで、グループテーブル１４ａから読み出された仮グループ情報“ｋ…”が最後の仮グループ情報であるか、または“ｎｕｌｌ”であるかが判断され（ステップＳ２２）、そうでないと判断された場合は（ステップＳ２２（Ｎｏ））、次の同じ仮グループ情報“ｋ００２”の範囲が読み出される（ステップＳ２３）。
【００９０】
そして、当該次の同じ仮グループ情報“ｋ００２”の範囲に対応するところのグループ情報“ｇ００２”の生成処理、変換テーブル１４ｂの生成処理、端末画像テーブル１４ｃの生成処理が、前記同様に繰り返される（ステップＳ１７〜Ｓ２１）。
【００９１】
この後、グループテーブル１４ａから読み出された仮グループ情報“ｋ…”が最後のグループ情報である、または“ｎｕｌｌ”であると判断されると（ステップＳ２２（Ｙｅｓ））、前記グループテーブル１４ａに設定されたグループ情報“ｇ…”と前記変換テーブル１４ｂに設定されたグループ情報“ｇ…”とが比較され、当該グループテーブル１４ａに存在しないグループ情報に対応するところの変換テーブル１４ｂのデータが削除される（ステップＳ２４）。
【００９２】
そして、前記グループテーブル１４ａにおける全ての仮グループ情報“ｋ…”が削除され（ステップＳ２５）、前記一連の端末グループ生成処理は終了される（ＥＮＤ）。
【００９３】
こうして、各フォトフレーム端末［Ｆ１］２０ａ，［Ｆ２］２０ｂ，…の位置情報“ｐ０１３”“ｐ０１５”…に基づいて、当該各端末［Ｆ１］２０ａ，［Ｆ２］２０ｂ，…が、互いに近接する所定範囲毎のグループ情報“ｇ００１”“ｇ００２”…によって管理されると共に、グループ毎の画像テーマとその切り替え順、現在の画像テーマ、現在の画像変換種、１画像表示に伴う再生時間が設定される。さらに、グループ毎の各端末［Ｆ１］２０ａ，［Ｆ２］２０ｂ，…に対応する該当画像テーマ内での再生開始画像と現在の再生画像が設定される。
【００９４】
図９は、前記画像表示システムの画像表示サーバ［Ｓ］１０による画像出力処理を示すフローチャートである。
【００９５】
画像表示サーバ［Ｓ］１０では、前記変換テーブル１４ｂに設定された再生時間毎に、当該再生時間に対応するグループ内の各フォトフレーム端末［Ｆ］２０，…に表示させる画像を更新する必要がある。このため、この画像出力処理は、時計回路１５による計時時間に基づき、同変換テーブル１４ｂに設定された最短の再生時間よりも短い所定時間毎（例えば１分毎）に繰り返し実行されるか、あるいは同変換テーブル１４ｂに記憶される何れかのグループの残り再生時間が所定値（例えば“０”）になる毎に繰り返し実行される。
【００９６】
この画像出力処理が起動されると、先ず、変換テーブル１４ｂ（図５参照）に記憶されている残り再生時間が最も少ないところのグループ情報“ｇ００１”が読み出され（ステップＰ１）、当該グループ情報“ｇ００１”に対応付けられて端末画像テーブル１４ｃに記憶されている各端末［Ｆ１］“００５３”，［Ｆ２］“０１５３”，［Ｆ３］“００２１”の現在の再生画像（指定情報）が次に更新される。例えば現在の再生画像（指定情報）“Ｑ２８０”“Ｑ２３５”“Ｑ２２１”が次の指定情報“Ｑ２８１”“Ｑ２３６”“Ｑ２２２”に更新される（ステップＰ２）。
【００９７】
すると、前記各端末［Ｆ１］“００５３”，［Ｆ２］“０１５３”，［Ｆ３］“００２１”それぞれの更新された現在の再生画像（指定情報）“Ｑ２n1”“Ｑ２n2”“Ｑ２n3”と各対応する再生開始画像（指定情報）“Ｑ２１２”“Ｑ２３０”“Ｑ２９０”とが比較されてその一致の有無が判断され、何れかの端末［Ｆｎ］の現在の再生画像（指定情報）“Ｑ２ｎ”がその画像テーマＴ２１内で一巡したか否か判断される。つまり、該当するグループ“ｇ…”の現在の画像テーマ内での再生画像の指定が終了したか否か判断される（ステップＰ３）。
【００９８】
ここで例えば、該当グループ“ｇ００１”内の何れかの端末［Ｆｎ］の現在の再生画像（指定情報）“Ｑ３ｎ”がその画像テーマＴ３１内で一巡し、当該画像テーマＴ３１内での再生画像の指定が終了したと判断された場合は（ステップＰ３（Ｙｅｓ））、変換テーブル１４ｂに設定された画像テーマの切り替え順［Ｔ３１→Ｔ２１→…］に従って次の画像テーマＴ２１が読み出され（ステップＰ４）、現在の画像テーマＴ２１として同変換テーブル１４ｂに書き込まれる（ステップＰ５）。
【００９９】
すると、更新された現在の画像テーマＴ２１内の画像（指定情報）“Ｑ２ｎ”が、画像記憶部１３からランダムあるいは先頭から順に読み出され（ステップＰ６）、端末画像テーブル１４ｃにおける該当グループ“ｇ００１”内の端末［Ｆ１］“００５３”，［Ｆ２］“０１５３”，［Ｆ３］“００２１”毎に、その再生開始画像（指定情報）および現在の再生画像（指定情報）として順次書き込まれる（ステップＰ６〜Ｐ９→Ｐ６）。
【０１００】
この際、前記更新された現在の画像テーマＴ２１に対応して画像記憶部１３から読み出された画像（指定情報）“Ｑ２ｎ”について、端末画像テーブル１４ｃにおける該当するグループ“ｇ００１”内の各端末［Ｆ１］“００５３”，［Ｆ２］“０１５３”，［Ｆ３］“００２１”の何れかに対して、既に同一の再生画像（指定情報）が設定されていると判断された場合には（ステップＰ７（Ｙｅｓ））、前記ステップＰ６に戻り、画像記憶部１３からの現在の画像テーマＴ２１に対応した画像（指定情報）“Ｑ２ｎ”の再読み出しが行われ、異なる画像が指定されるまで前記ステップＰ７（Ｙｅｓ）、ステップＰ６を繰り返す。この結果、該当するグループ“ｇ００１”内の各端末［Ｆ１］“００５３”，［Ｆ２］“０１５３”，［Ｆ３］“００２１”に同時に同じ画像が表示されない。
【０１０１】
この後、前記端末画像テーブル１４ｃにおける該当するグループ“ｇ００１”内の全ての端末［Ｆ１］“００５３”，［Ｆ２］“０１５３”，［Ｆ３］“００２１”に対して、前記更新された現在の画像テーマＴ２１内の画像（指定情報）“Ｑ２n”を、その再生開始画像（指定情報）および現在の再生画像（指定情報）として設定する処理が終了したと判断されると（ステップＰ６〜Ｐ９（Ｙｅｓ））、変換テーブル１４ｂに設定されている現在の画像変換種が別の画像変換種（例えば［水墨画］→［水彩画］）に更新される（ステップＰ１０）。
【０１０２】
なお、前記ステップＰ２，Ｐ３において、各端末［Ｆ１］“００５３”，［Ｆ２］“０１５３”，［Ｆ３］“００２１”それぞれの更新された現在の再生画像（指定情報）“Ｑ２n1”“Ｑ２n2”“Ｑ２n3”について、各対応する再生開始画像（指定情報）“Ｑ２１２”“Ｑ２３０”“Ｑ２９０”と何れも一致しないと判断された場合、つまり、該当するグループ“ｇ００１”の現在の画像テーマＴ２１内での再生画像の指定が終了（一巡）していないと判断された場合は（ステップＰ３（Ｎｏ））、前記ステップＰ４〜Ｐ１０による各処理（該当グループ“ｇ…”に対応した画像テーマの更新処理、更新された画像テーマ内での各端末に対応した再生開始画像および現在の再生画像の設定処理、画像変換種の更新処理）は実行されない。
【０１０３】
こうして、前記ステップＰ１〜Ｐ３またはＰ１〜Ｐ９の処理に従い、変換テーブル１４ｂにおける残り再生時間が最も少ないところのグループ情報、例えば、図５の変換テーブル１４ｂの例では、グループ情報“ｇ００１”に属する各端末［Ｆ１］“００５３”，［Ｆ２］“０１５３”，［Ｆ３］“００２１”それぞれの現在の再生画像（指定情報）“Ｑｍｎ”が、統一された画像テーマＴｍｘの中で更新される。また、前記ステップＰ１０の処理に従い、同グループ情報“ｇ００１”に対応する現在の画像変換種も更新される。
【０１０４】
すると、前記再生時間が最も少ないところのグループ情報“ｇ００１”に属する各端末［Ｆ１］“００５３”，［Ｆ２］“０１５３”，［Ｆ３］“００２１”それぞれの更新された現在の再生画像Ｑ２８０，Ｑ２３５，Ｑ２２１が画像記憶部１３から読み出され、現在の画像変換種「水彩画」により何れも水彩画調の画像に変換される（ステップＰ１１）。
【０１０５】
この後、前記変換テーブル１４ｂにて管理される前記グループ情報“ｇ００１”の残り再生時間が“０”になり、次の再生時間になったと判断されると（ステップＰ１２）、前記画像変換された同一の画像テーマＴ２１における各再生画像Ｑ２８０，Ｑ２３５，Ｑ２２１が、それぞれ対応するフォトフレーム端末［Ｆ１］“００５３”２０ａ，［Ｆ２］“０１５３”２０ｂ，［Ｆ３］“００２１”２０ｃに対し、所定時間毎（例えば、数秒毎）に順番に送信される（ステップＰ１３〜Ｐ１５）。これにより、同じグループ内のフォトフレーム端末に表示される画像の表示開始タイミングを順次づらして表示できる。
【０１０６】
そして、前記グループ情報“ｇ００１”に属する全ての端末［Ｆ１］２０ａ〜［Ｆ３］２０ｃに対する再生画像の送信が終了したと判断されると（ステップＰ１４（Ｙｅｓ））、前記変換テーブル１４ｂの残り再生時間が、再生時間と同じ初期値に設定され（ステップＰ１６）、前記一連の画像出力処理が終了される（ＥＮＤ）。
【０１０７】
これにより、前記変換テーブル１４ｂにて管理される残り再生時間が“０”になったグループ“ｇ…”に対応する各フォトフレーム端末［Ｆｎ］２０…に対して、当該端末［Ｆｎ］２０…毎に、統一された画像テーマＴｍｘ内で更新された次の画像が画像記憶部１３から読み出され、統一された画像変換種で画像変換され送信されるようになる。
【０１０８】
図１０は、前記画像表示システムの各フォトフレーム端末［Ｆ１］２０ａ，［Ｆ２］Ｆ２，…による端末処理を示すフローチャートである。
【０１０９】
フォトフレーム端末［Ｆ］２０において、前記画像表示サーバ［Ｓ］１０の端末グループ生成処理（その１）［図８Ａ参照］に従い送信された位置情報の取得要求が受信されると（ステップＴ１（Ｙｅｓ））、これに応答して位置計測部２４により計測された現在位置の位置情報“ｐ…”が前記画像表示サーバ［Ｓ］１０へ送信される（ステップＴ２）。
【０１１０】
そしてこの後、前記画像表示サーバ［Ｓ］１０の画像出力処理［図９参照］に従い送信された再生画像Ｑｍｎが受信されると（ステップＴ３（Ｙｅｓ））、この受信された再生画像Ｑｍｎは画像記憶部２３に更新されて記憶され（ステップＴ４）、表示部２８に出力されて表示される（ステップＴ５）。
【０１１１】
したがって、前記構成の画像表示システムによれば、画像表示サーバ［Ｓ］１０は、複数台のフォトフレーム端末［Ｆ１］２０ａ，［Ｆ２］２０ｂ，…各々の位置情報“ｐ…”を受信し、相互に近接した所定範囲に含まれる端末［Ｆ１］２０ａ，［Ｆ２］２０ｂ，…同士をグループ化して管理する。そして、同一グループ内の各端末［Ｆ１］２０ａ，［Ｆ２］２０ｂ，…に対応してグループ毎に同じ画像テーマ内で順次更新される各画像が画像記憶部１３から読み出され、グループ毎に同じ変換種の画像変換が施された後、この各画像が各対応する端末［Ｆ１］２０ａ，［Ｆ２］２０ｂ，…に送信されて表示される。
【０１１２】
このため、複数台のフォトフレーム端末［Ｆ１］２０ａ，［Ｆ２］２０ｂ，…を近接して配置した場合に、各端末［Ｆ１］２０ａ，［Ｆ２］２０ｂ，…にて表示される画像を、各画像の内容が違っていても、同じ画像テーマ、同じ画像変換種で統一し、全体として調和のとれた表示にすることが可能になる。
【０１１３】
また、前記構成の画像表示システムによれば、前記同一グループ内の各端末［Ｆ１］２０ａ，［Ｆ２］２０ｂ，…に対応して、同一の画像テーマ内で、予め設定された画像再生時間毎に順次更新される各画像は、１つの画像テーマ内で一巡する毎にその画像テーマも共に更新される。
【０１１４】
このため、同一グループ内の各端末［Ｆ１］２０ａ，［Ｆ２］２０ｂ，…にてそれぞれ変化に富んだ画像を表示しつつも、当該各画像を常に風景画や人物画に統一するなど、調和のとれた表示にすることができる。
【０１１５】
また、前記構成の画像表示システムによれば、同一グループ内の各端末［Ｆ１］２０ａ，［Ｆ２］２０ｂ，…に対して、画像表示の再生時間毎に同一の画像テーマ内で更新して送信する各画像は、所定時間毎に、当該各端末［Ｆ１］２０ａ，［Ｆ２］２０ｂ，…の位置情報“ｐ００５３”“ｐ０１５３”…に従った順番で送信される。
【０１１６】
このため、同一グループ内の各端末［Ｆ１］２０ａ，［Ｆ２］２０ｂ，…にて、統一された画像テーマ内で表示される各画像は、その配置位置の順に順序よく切り替えられるようになる。
【０１１７】
さらに、前記構成の画像表示システムによれば、前記図８Ａ，図８Ｂを参照して説明した端末グループ生成処理により、複数台のフォトフレーム端末［Ｆ１］２０ａ，［Ｆ２］２０ｂ，…を、その配置位置に従って相互に近接する所定範囲毎にグループ化する処理は、所定時間毎に繰り返し実行される。
【０１１８】
このため、システム内に配置されるフォトフレーム端末［Ｆ１］２０ａ，［Ｆ２］２０ｂ，…が移動あるいは撤去されたり、新たに追加されたりした場合でも、適切にグループ化して管理することができる。
【０１１９】
なお、前記実施形態におけるフォトフレーム端末［Ｆ１］２０ａ，［Ｆ２］２０ｂ，…は、ＰＣなどの画像が表示できる端末であればよい。
【０１２０】
また、前記実施形態におけるフォトフレーム端末［Ｆ１］２０ａ，［Ｆ２］２０ｂ，…の位置計測部２４は、ＧＰＳであるとして説明したが、例えば、近接無線で互いの通信電波の強弱から近接状況を求め、これを互いの位置情報“ｐ…”として画像表示サーバ［Ｓ］１０に送信してもよい。
【０１２１】
また、前記実施形態において説明した各フォトフレーム端末［Ｆ１］２０ａ，［Ｆ２］２０ｂ，…同士が近接するとの意味は、その位置情報が略同じである場合も含まれる。
【０１２２】
また、前記実施形態において、変換テーブル１４ｂにグループ毎に設定される画像テーマの切り替えの順序は、予め設定された順序かランダムに設定された順序かの何れでもよい。
【０１２３】
また、前記実施形態の端末画像テーブル１４ｃにおいて、各端末識別情報に対応付けて初期に設定される現在の画像テーマＴｍｘ内の現在の再生画像（指定情報）“Ｑｍｎ”［初期は再生開始画像と同じ］は、画像記憶部１３の該当する画像テーマＴｍｘからランダムに選択されて設定されるか、画像テーマＴｍｘ毎に予め設定されるかの何れでもよい。
【０１２４】
また、前記実施形態では、同一グループ“ｇ…”に属する各フォトフレーム端末［Ｆ１］２０ａ，［Ｆ２］２０ｂ，…の現在の再生画像“Ｑｍｎ”は、例えば風景画という同じ画像テーマの中の画像であって、例えば水彩画調という同じ画像変換種で変換して表示した。これに対し、同一グループ“ｇ…”に属する各端末［Ｆ１］２０ａ，［Ｆ２］２０ｂ，…の現在の再生画像“Ｑｍｎ”を、同じ画像テーマの中の画像として設定しさえすれば、異なる画像変換種で変換して表示しても、調和のとれた画像として表示できるのは勿論である。
【０１２５】
また、前記実施形態の画像表示サーバ［Ｓ］１０による画像出力処理（図９  ステップＰ１３〜Ｐ１５）において、同一グループ“ｇ…”内の各端末［Ｆ１］２０ａ，［Ｆ２］２０ｂ，…に対して送信する各画像は、所定時間毎に順番に送信するのではなく、ほぼ同時に送信して切り替え表示させてもよい。この場合は、同じグループ内のフォトフレーム端末に表示される画像の表示開始タイミングは同時である。
【０１２６】
また、前記実施形態の画像表示システムにおけるフォトフレーム端末［Ｆ１］２０ａ，［Ｆ２］２０ｂ，…を、シンクライアント端末装置とすることで、当該端末装置側で画像が複製されるのを防止する構成としてもよい。この場合、各端末装置の位置情報“ｐ…”は、画像表示サーバ［Ｓ］１０へのログオン時に送信すればよい。
【０１２７】
さらに、前記実施形態の画像表示システムでは、画像表示サーバ［Ｓ］１０は各フォトフレーム端末［Ｆ１］２０ａ，［Ｆ２］２０ｂ，…と別体のものとして構成したが、何れかのフォトフレーム端末［Ｆｎ］２０が当該画像表示サーバ［Ｓ］１０の機能を併せ持つ構成としてもよい。
【０１２８】
なお、前記実施形態において記載した画像表示システムによる各処理の手法、すなわち、図８Ａ，図８Ｂのフローチャートに示す画像表示サーバ［Ｓ］１０による端末グループ生成処理、図９のフローチャートに示す前記画像表示サーバ「Ｓ」１０による画像出力処理、図１０のフローチャートに示すフォトフレーム端末［Ｆ］２０…による端末処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の記録媒体に格納して配布することができる。そして、サーバ（１０）や表示端末（２０…）のコンピュータ（ＣＰＵ１１，２１）は、この記録媒体に記憶されたプログラムを記憶装置（１２，２２）に読み込み、この読み込んだプログラムによって動作が制御されることにより、前記各実施形態において説明した複数台の表示端末（２０…）に対するグループ化機能およびグループ毎の画像生成出力機能を実現し、前述した手法による同様の処理を実行することができる。
【０１２９】
また、前記各手法を実現するためのプログラムのデータは、プログラムコードの形態として通信ネットワーク上を伝送させることができ、この通信ネットワークに接続されたコンピュータ装置（プログラムサーバ）から前記のプログラムデータを取り込んで記憶装置（１２，２２）に記憶させ、前述した複数台の表示端末（２０…）に対するグループ化機能およびグループ毎の画像生成出力機能を実現することもできる。
【０１３０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１３１】
１０  …画像表示サーバ［Ｓ］
２０ａ〜２０ｆ…フォトフレーム端末［Ｆ１］〜［Ｆ６］
１１，２１…ＣＰＵ
１２，２２…記憶部
１３，２３…画像記憶部
１４  …各種テーブル記憶部
１４ａ…グループテーブル
１４ｂ…変換テーブル
１４ｃ…端末画像テーブル
２４  …位置計測部
１５，２５…時計回路
１６，２６…入力部
１７，２７…通信部
１８，２８…表示部
【図１】
0005644320.tif 000002
【図２】
0005644320.tif 000003
【図３】
0005644320.tif 000004
【図４】
0005644320.tif 000005
【図５】
0005644320.tif 000006
【図６】
0005644320.tif 000007
【図７】
0005644320.tif 000008
【図８Ａ】
0005644320.tif 000009
【図８Ｂ】
0005644320.tif 000010
【図９】
0005644320.tif 000011
【図１０】
0005644320.tif 000012